(57)【要約】      （修正有）【課題】外筒の正面に形成された貫通孔に取り付けられたレンズが、貫通孔から取り外された場合、内筒が回転することを抑制するシリンダ錠を提供する。【解決手段】シリンダ錠は、鍵穴３１を有する内筒３０と、軸線を中心に内筒を回転可能に収容し、内筒の外面の一部を露出する貫通孔２５を有する外筒２０と、貫通孔内に取り付けられるレンズ６０と、レンズが貫通孔から取り外された場合、内筒が外筒に対して軸線を中心に回転することを抑制する抑制手段４０とを備える。【選択図】図２
2014224347.tif 000002
【特許請求の範囲】
【請求項１】
鍵穴を有する内筒と、
軸線を中心に前記内筒を回転可能に収容し、前記内筒の外面の一部を露出する貫通孔を有する外筒と、
前記貫通孔内に取り付けられる小片と、
前記小片が前記貫通孔から取り外された場合、前記内筒が前記外筒に対して前記軸線を中心に回転することを抑制する抑制手段と
を備えるシリンダ錠。
【請求項２】
前記内筒は、
前記鍵穴を含む内筒本体と、
前記外筒内の前記内筒本体の正面側に配置され、キーコードをリセット可能な共通鍵が前記鍵穴に挿入された状態で回転された場合に、前記共通鍵と係合して前記軸線を中心に回転する回転盤と
を有し、
前記貫通孔は、前記外筒の正面に形成されており、前記内筒の外面の一部として前記回転盤の一部を露出し、
前記小片は、前記貫通孔を介して露出している前記回転盤の一部を目視可能に透過することにより、開錠可能なキーコードを有する現在の鍵の種類を表示する、請求項１に記載のシリンダ錠。
【請求項３】
前記抑制手段は、
前記小片が前記貫通孔に取り付けられている場合、前記小片により前記貫通孔内への侵入が抑制されており、前記小片が前記貫通孔から取り外された場合、前記貫通孔内への侵入の抑制が解除されることで、前記内筒が前記外筒に対して前記軸線を中心に回転することを抑制する可動ピンを含む、請求項２に記載のシリンダ錠。
【請求項４】
前記回転盤は、切り欠き部を含み、
前記可動ピンは、前記小片が前記貫通孔から取り外された場合に、前記切り欠き部を介して前記貫通孔内まで侵入する、請求項３に記載のシリンダ錠。
【請求項５】
前記貫通孔は、前記現在の鍵の種類が前記共通鍵であり、前記内筒本体が前記外筒に対して施錠位置にある場合に、前記回転盤の一部として、前記切り欠き部を露出する、請求項４に記載のシリンダ錠。
【請求項６】
前記貫通孔は、前記現在の鍵の種類がキーコードをリセット不可能な個別鍵であり、前記内筒本体が前記外筒に対して施錠位置にある場合に、前記回転盤の一部として、前記切り欠き部以外の前記回転盤の他の一部を露出する、請求項４または請求項５に記載のシリンダ錠。
【請求項７】
前記内筒本体は、前記内筒本体の正面から背面に向かって前記軸線に沿って形成された案内部をさらに含み、
前記可動ピンの一部は、前記可動ピンが前記軸線に沿って移動可能に前記案内部内に支持されている、請求項３から請求項６のいずれか１つに記載のシリンダ錠。
【請求項８】
前記抑制手段は、
前記小片が前記貫通孔に取り付けられている場合、前記小片により前記貫通孔内への侵入が抑制されており、前記小片が前記貫通孔から取り外された場合、前記貫通孔内への侵入の抑制が解除されることで、前記内筒が前記外筒に対して前記軸線を中心に回転することを抑制する可動ピンを含む、請求項１に記載のシリンダ錠。
【請求項９】
鍵穴を有する内筒と、軸線を中心に前記内筒を回転可能に収容し、前記内筒の外面の一部を露出する貫通孔を有する外筒と、射出成形により製造され、前記貫通孔内に取り付けられた小片とを備えるシリンダ錠の製造方法であって、
前記小片にゲート部が接続されている状態で、前記貫通孔上に前記小片を配置する工程と、
前記小片を前記貫通孔内に押し込むことにより、前記小片から前記ゲート部を切り取るとともに、前記小片を貫通孔内に取り付ける工程と
を含むシリンダ錠の製造方法。
【発明の詳細な説明】
【技術分野】
【０００１】
本発明は、シリンダ錠およびシリンダ錠の製造方法に関する。
【背景技術】
【０００２】
特許文献１には、外筒の前面壁に設けられた確認窓を介して、特定キーコードの鍵によって操作可能な状態にあることを表示する可変コード型シリンダ錠が開示されている。確認窓は、例えば、外筒の前面壁に形成された貫通孔にレンズを設けることで構成される。
特許文献１  特開２０１１−６９０８４号公報
【発明の概要】
【発明が解決しようとする課題】
【０００３】
外筒の正面に形成された貫通孔に取り付けられたレンズが、貫通孔から取り外された場合、操作可能な鍵の表示を不正に書き換えられる可能性がある。
【課題を解決するための手段】
【０００４】
本発明の一態様に係るシリンダ錠は、鍵穴を有する内筒と、軸線を中心に内筒を回転可能に収容し、内筒の外面の一部を露出する貫通孔を有する外筒と、貫通孔内に取り付けられる小片と、小片が貫通孔から取り外された場合、内筒が外筒に対して軸線を中心に回転することを抑制する抑制手段とを備える。
【０００５】
上記シリンダ錠において、内筒は、鍵穴を含む内筒本体と、外筒内の内筒本体の正面側に配置され、キーコードをリセット可能な共通鍵が鍵穴に挿入された状態で回転された場合に、共通鍵と係合して軸線を中心に回転する回転盤とを有し、貫通孔は、外筒の正面に形成されており、内筒の外面の一部として回転盤の一部を露出し、小片は、貫通孔を介して露出している回転盤の一部を目視可能に透過することにより、開錠可能なキーコードを有する現在の鍵の種類を表示してもよい。
【０００６】
上記シリンダ錠において、抑制手段は、小片が貫通孔に取り付けられている場合、小片により貫通孔内への侵入が抑制されており、小片が貫通孔から取り外された場合、貫通孔内への侵入の抑制が解除されることで、内筒が外筒に対して軸線を中心に回転することを抑制する可動ピンを含んでもよい。
【０００７】
上記シリンダ錠において、回転盤は、切り欠き部を含み、可動ピンは、小片が貫通孔から取り外された場合に、切り欠き部を介して貫通孔内まで侵入してもよい。
【０００８】
上記シリンダ錠において、貫通孔は、現在の鍵の種類が共通鍵であり、内筒本体が外筒に対して施錠位置にある場合に、回転盤の一部として、切り欠き部を露出してもよい。
【０００９】
上記シリンダ錠において、貫通孔は、現在の鍵の種類がキーコードをリセット不可能な個別鍵であり、内筒本体が外筒に対して施錠位置にある場合に、回転盤の一部として、切り欠き部以外の回転盤の他の一部を露出してもよい。
【００１０】
上記シリンダ錠において、内筒本体は、内筒本体の正面から背面に向かって軸線に沿って形成された案内部をさらに含み、可動ピンの一部は、可動ピンが軸線に沿って移動可能に案内部内に支持されていてもよい。
【００１１】
上記シリンダ錠において、抑制手段は、小片が貫通孔に取り付けられている場合、小片により貫通孔内への侵入が抑制されており、小片が貫通孔から取り外された場合、貫通孔内への侵入の抑制が解除されることで、内筒が外筒に対して軸線を中心に回転することを抑制する可動ピンを含んでもよい。
【００１２】
本発明の一態様に係るシリンダ錠の製造方法は、鍵穴を有する内筒と、軸線を中心に内筒を回転可能に収容し、内筒の外面の一部を露出する貫通孔を有する外筒と、射出成形により製造され、貫通孔内に取り付けられた小片とを備えるシリンダ錠の製造方法であって、小片にゲート部が接続されている状態で、貫通孔上に小片を配置する工程と、小片を貫通孔内に押し込むことにより、小片からゲート部を切り取るとともに、小片を貫通孔内に取り付ける工程とを含む。
【００１３】
なお、上記の発明の概要は、本発明の必要な特徴の全てを列挙したものではない。また、これらの特徴群のサブコンビネーションもまた、発明となりうる。
【図面の簡単な説明】
【００１４】
【図１】本実施形態に係るシリンダ錠および鍵の外観斜視図の一例を示す図である。
【図２】本実施形態に係るシリンダ錠の分解斜視図の一例を示す図である。
【図３】回転盤の平面図の一例を示す図である。
【図４】仕切り版の平面図の一例を示す図である。
【図５Ａ】個別鍵が鍵穴に挿入されたシリンダ錠の断面図の一例を示す図である。
【図５Ｂ】図５Ａ中の囲み線２０２内の部分拡大図を示す図である。
【図６Ａ】共通鍵が鍵穴に挿入されたシリンダ錠の断面図の一例を示す図である。
【図６Ｂ】図６Ａ中の囲み線２０４内の部分拡大図を示す図である。
【図７】開錠可能な鍵が共通鍵の場合のシリンダ錠の正面図の一例を示す図である。
【図８】開錠可能な鍵が個別鍵の場合のシリンダ錠の正面図の一例を示す図である。
【図９Ａ】貫通孔にレンズが取り付けられた状態で、可動ピンが貫通孔の直下にある場合のシリンダ錠の正面図および断面図の一例を示す図である。
【図９Ｂ】図９Ａ中の囲み線２０６内の部分拡大図を示す図である。
【図１０Ａ】可動ピンが貫通孔の直下以外の位置にある場合のシリンダ錠の正面図および断面図の一例を示す図である。
【図１０Ｂ】図１０Ａ中の囲み線２０８内の部分拡大図を示す図である。
【図１１Ａ】貫通孔からレンズが取り外され、可動ピンが貫通孔内に侵入している場合のシリンダ錠の正面図および断面図の一例を示す図である。
【図１１Ｂ】図１１Ａ中の囲み線２１０内の部分拡大図を示す図である。
【図１２】レンズとゲート部とが一体的に構成された取付部品の斜視図の一例を示す図である。
【図１３】レンズとゲート部とが一体的に構成された取付部品の側面図の一例を示す図である。
【図１４】レンズを貫通孔に取り付ける手順を説明するための図である。
【図１５】レンズを貫通孔に取り付ける手順を説明するための図である。
【図１６】レンズを貫通孔に取り付ける手順を説明するための図である。
【図１７】レンズおよびゲート部の形状について説明するための図である。
【発明を実施するための形態】
【００１５】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１６】
図１は、本実施形態に係るシリンダ錠１０および鍵５０の外観斜視図の一例を示す図である。シリンダ錠１０は、キーコードを変更可能なシリンダ錠でもよい。シリンダ錠１０は、例えば、遊技機に設けられる。遊技機は、例えば、枠、遊技機本体、およびカバーを備える。遊技機は、枠を介して遊技場の島設備に固定される。カバーは、遊技機本体に設けられた遊技盤を視認可能に覆う。
【００１７】
シリンダ錠１０は、例えば、遊技機本体に設けられ、枠に対する遊技機本体の施錠を行う。シリンダ錠１０は、遊技機本体に対するカバーの施錠をさらに行う。例えば、鍵５０がシリンダ錠１０に対して時計回りに回転されることで、シリンダ錠１０は、枠に対する遊技機本体の施錠状態を開錠状態にする。また、鍵５０がシリンダ錠１０に対して反時計回りに回転されることで、シリンダ錠１０は、遊技機本体に対するカバーの施錠状態を開錠状態にする。
【００１８】
シリンダ錠１０は、外筒２０および内筒３０を備える。鍵５０は、把手部５２および挿入部５４を備える。外筒２０は、軸線を中心に内筒３０を回転可能に収容する。内筒３０は、鍵５０の挿入部５４が挿入される鍵穴３１を有する。内筒３０は、鍵穴３１に挿入された鍵５０が時計回りまたは反時計回りに回転することに対応して、外筒２０の軸線を中心に時計回りまたは反時計回りに回転する。
【００１９】
図２は、本実施形態に係るシリンダ錠１０の分解斜視図の一例を示す図である。シリンダ錠１０は、外筒２０、内筒３０、抑制手段４０、リセットボタン４６、およびレンズ６０を備える。
【００２０】
外筒２０は、外筒本体２２、取り付けフランジ２４、および背面カバー２６を有する。外筒本体２２は、内筒３０を収容する。取り付けフランジ２４は、外筒本体２２と一体的に構成されてもよい。シリンダ錠１０は、取り付けフランジ２４を介して施錠対象の物体に固定される。シリンダ錠１０は、取り付けフランジ２４を介して例えば遊技機本体に固定される。
【００２１】
内筒３０は、内筒本体３２、出力軸３４、回転盤３６、および仕切り板３８を有する。内筒本体３２は、鍵穴３１を含む。出力軸３４は、鍵５０の回転に応じて内筒本体３２とともに外筒２０の軸線を中心に回転する。外筒２０の背面カバー２６は、出力軸３４の回転軸を外部に露出した状態で、内筒３０の背面を覆う。出力軸３４は、背面カバー２６から露出している回転軸を介して外部の施錠ユニットと機械的に連結されている。出力軸３４が回転することに応じて施錠ユニットが施錠対象の開錠および施錠を行う。
【００２２】
ユーザは、開錠可能なキーコードをリセット可能な共通鍵５０ｂ、またはキーコードをリセット不可能な個別鍵５０ａを用いて、シリンダ錠１０の開錠または施錠を行うことができる。ユーザは、キーコードをリセットする場合、例えば、リセットボタン４６を軸線と垂直な方向下方に押下しながら、共通鍵５０ｂを用いて、キーコードをリセットさせるためのリセット位置に内筒３０を回転させる。リセット位置に内筒３０を回転させた後、ユーザは、鍵穴３１に新たな個別鍵５０ａを挿入して、内筒３０を再び施錠位置まで回転させることで、シリンダ錠１０のキーコードを新たな個別鍵５０ａに固有のキーコードに変更することができる。
【００２３】
回転盤３６は、開錠可能なキーコードを有する現在の鍵の種類、例えば共通鍵５０ｂまたは個別鍵５０ａかを示す目印を有する。回転盤３６は、外筒２０内の内筒本体３２の正面側に配置される。回転盤３６は、開錠可能な共通鍵５０ｂが鍵穴３１に挿入された状態で回転された場合に、共通鍵５０ｂと係合して軸線を中心に回転する。回転盤３６は、開錠可能な個別鍵５０ａが鍵穴３１に挿入された状態で回転された場合には、個別鍵５０ａと係合しない。つまり、回転盤３６は、開錠可能な個別鍵５０ａが鍵穴３１に挿入された状態で回転された場合には、軸線を中心に回転しない。
【００２４】
仕切り板３８は、内筒本体３２と回転盤３６との間に配置される。仕切り板３８は、外筒本体２２に対して固定されており、外筒２０の軸線を中心に回転しない。仕切り板３８は、開錠可能な個別鍵５０ａが鍵穴３１に挿入された状態で回転された場合に、内筒本体３２の回転に伴い、回転盤３６が回転することを防止する。
【００２５】
外筒本体２２は、正面２１に形成された外筒開口２３を有する。外筒開口２３は、鍵穴３１を露出する。外筒本体２２は、正面２１の外筒開口２３の周囲に形成された貫通孔２５をさらに有する。貫通孔２５は、内筒３０の外面の一部を露出する貫通孔の一例である。レンズ６０は、貫通孔２５内に取り付けられる。レンズ６０は、小片の一例である。レンズ６０は、貫通孔２５の内壁に適合する形状であり、貫通孔２５内にぴったりと収まっている。
【００２６】
貫通孔２５は、内筒３０の外面の一部として回転盤３６の一部を露出してもよい。レンズ６０は、貫通孔２５を介して露出している回転盤３６の一部を目視可能に透過することにより、開錠可能なキーコードを有する現在の鍵の種類を表示してもよい。
【００２７】
抑制手段４０は、可動ピン４２およびばね４４を有する。抑制手段４０は、レンズ６０が貫通孔２５から取り外された場合、内筒３０が外筒２０に対して軸線を中心に回転することを抑制する。抑制手段４０が内筒３０の回転を抑制することにより、レンズ６０が貫通孔２５から取り外され、貫通孔２５を介して露出している回転盤３６の表面が不正に書き換えられたとしても、シリンダ錠１０の開錠を行うことができない。つまり、開錠可能なキーコードを有する現在の鍵の種類が不正に書き換えられたとしても、不正にシリンダ錠１０の開錠ができない。よって、シリンダ錠１０のセキュリティ性を向上させることができる。
【００２８】
図３は、回転盤３６の正面側から見た平面図の一例を示す図である。回転盤３６は、鍵穴３１を露出するための回転盤開口３６１を有する。回転盤開口３６１には、回転盤３６の内側に向かって突出している２つの係合部３６４が形成されている。共通鍵５０ｂが鍵穴３１に挿入された場合、共通鍵５０ｂの挿入部が２つの係合部３６４と係合して、共通鍵５０ｂの回転に伴い回転盤３６が外筒２０の軸線を中心に回転する。個別鍵５０ａが鍵穴３１に挿入された場合、共通鍵５０ｂの挿入部は２つの係合部３６４と係合せず、個別鍵５０ａの回転に伴い回転盤３６は外筒２０の軸線を中心に回転しない。
【００２９】
回転盤３６は、回転盤開口３６１の周囲に表示部３６３を有する。回転盤３６は、回転盤３６の中心に対して表示部３６３と点対称の位置に切り欠き部３６２をさらに有する。表示部３６３は、シリンダ錠１０が個別鍵５０ａにより開錠可能な状態で、内筒３０が外筒２０に対して施錠位置にある場合に、貫通孔２５を介して露出される位置にある。切り欠き部３６２は、シリンダ錠１０が共通鍵５０ｂにより開錠可能な状態で、内筒３０が外筒２０に対して施錠位置にある場合に、貫通孔２５を介して露出される位置にある。表示部３６３は、例えば、回転盤３６の表示部３６３に対応する領域の表面を個別鍵５０ａの個別鍵把手部５２ａの色に対応した色で塗装することで、開錠可能なキーコードを有する現在の鍵の種類が個別鍵５０ａであることを示してもよい。
【００３０】
回転盤３６は、回転盤開口３６１の外周側に、円弧上の弾性アーム３６５ａおよび弾性アーム３６５ｂをさらに有する。弾性アーム３６５ａは、回転盤３６の外側に向かって突出している回転盤凸部３６６ａを有する。弾性アーム３６５ｂは、回転盤３６の外側に向かって突出している回転盤凸部３６６ｂを有する。外筒本体２２の内壁には、回転盤凸部３６６ａまたは回転盤凸部３６６ｂを係止する回転盤用溝部が形成されている。
【００３１】
シリンダ錠１０が個別鍵５０ａにより開錠可能な状態で、内筒３０が外筒２０に対して施錠位置にある場合、弾性アーム３６５ａの回転盤凸部３６６ａが外筒２０の内壁の回転盤用溝部に係止され、弾性アーム３６５ｂは、外筒２０の内壁により回転盤３６の中心方向に押下され内側に弾性変形する。シリンダ錠１０が共通鍵５０ｂにより開錠可能な状態で、内筒３０が外筒２０に対して施錠位置にある場合に、弾性アーム３６５ｂの回転盤凸部３６６ｂが外筒２０の内壁の回転盤用溝部に係止され、弾性アーム３６５ａは、外筒２０の内壁により回転盤３６の中心方向に押下され内側に弾性変形する。
【００３２】
図４は、仕切り板３８の正面側から見た平面図の一例を示す図である。仕切り板３８は、鍵穴３１を露出するための仕切り板開口３８１を有する。仕切り板３８は、仕切り板開口３８１の周囲の、回転盤３６の切り欠き部３６２に対向する位置に仕切り板貫通孔３８２を有する。仕切り板３８は、仕切り板３８の外周に、仕切り板３８の外側に向かって突出している複数の係止部３８３を有する。外筒本体２２の内壁には、複数の係止部３８３に対向する位置に、複数の係止部３８３を係止する仕切り板用溝部が形成されている。複数の係止部３８３が、外筒本体２２の内壁の仕切り板用溝部に係止されることで、仕切り板３８は、外筒本体２２に対して回転不可能に支持される。
【００３３】
図５Ａは、個別鍵把手部５２ａおよび個別鍵挿入部５４ａを備える個別鍵５０ａの個別鍵挿入部５４ａが鍵穴３１に挿入された状態のシリンダ錠１０の断面図を示す図である。図５Ｂは、図５Ａに示す囲み線２０２内の部分拡大図を示す図である。
【００３４】
個別鍵挿入部５４ａは、個別鍵５０ａが鍵穴３１内に完全に挿入された場合に、鍵穴３１の挿入口付近に、個別鍵凹部５４１ａを有する。個別鍵凹部５４１ａは、個別鍵５０ａが鍵穴３１内に完全に挿入された状態で、回転盤３６の係合部３６４に係合しないだけの幅Ｗａを有する。個別鍵５０ａは、幅Ｗａの個別鍵凹部５４１ａを有することで、回転盤３６の係合部３６４と係合しないので、個別鍵５０ａが回転したことに対応して、回転盤３６は、回転しない。
【００３５】
図６Ａは、共通鍵把手部５２ｂおよび共通鍵挿入部５４ｂを備える共通鍵５０ｂの共通鍵挿入部５４ｂが鍵穴３１に挿入された状態のシリンダ錠１０の断面図を示す図である。図６Ｂは、図６Ａに示す囲み線２０４内の部分拡大図を示す図である。
【００３６】
共通鍵挿入部５４ｂは、共通鍵５０ｂが鍵穴３１内に完全に挿入された場合に、鍵穴３１の挿入口付近に、共通鍵凹部５４１ｂを有する。共通鍵凹部５４１ｂは、共通鍵５０ｂが鍵穴３１内に完全に挿入された状態で、回転盤３６の係合部３６４に係合可能な幅Ｗｂを有する。幅Ｗｂは、幅Ｗａより短い。共通鍵５０ｂは、幅Ｗｂの共通鍵凹部５４１ｂを有することで、回転盤３６の係合部３６４と係合するので、共通鍵５０ｂが回転したことに対応して、回転盤３６は、回転する。
【００３７】
図７は、開錠可能な鍵が共通鍵５０ｂの場合のシリンダ錠１０の正面図の一例を示す図である。図７の（ａ）および（ｂ）は、内筒３０が外筒２０に対して施錠位置にある場合のシリンダ錠１０の正面を示す。図７の（ｂ）では、外筒２０を二点鎖線で表現することで、回転盤３６の正面を示している。開錠可能な現在の鍵の種類が共通鍵５０ｂで、内筒３０が外筒２０に対して施錠位置にある場合、レンズ６０に対向する位置に、回転盤３６の切り欠き部３６２および可動ピン４２がある。よって、貫通孔２５は、開錠可能な現在の鍵の種類が共通鍵５０ｂであり、内筒本体３２が外筒２０に対して施錠位置にある場合に、回転盤の一部として、切り欠き部３６２および可動ピン４２を露出する。
【００３８】
可動ピン４２は、例えば、可動ピン４２の表面を共通鍵５０ｂの共通鍵把手部５２ｂの色に対応した色で塗装することで、開錠可能なキーコードを有する現在の鍵の種類が共通鍵５０ｂであることを示してもよい。これにより、ユーザは、レンズ６０を介して、可動ピン４２の色を視認することで、開錠可能なキーコードを有する現在の鍵の種類が可動ピン４２の色に対応する共通鍵５０ｂであることを確認できる。
【００３９】
図８は、開錠可能な鍵が個別鍵５０ａの場合のシリンダ錠１０の正面図の一例を示す図である。図８の（ａ）および（ｂ）は、内筒３０が外筒２０に対して施錠位置にある場合のシリンダ錠１０の正面を示す。図８の（ｂ）では、外筒２０を二点鎖線で表現することで、回転盤３６の正面を示している。開錠可能な鍵が個別鍵５０ａで、内筒３０が外筒２０に対して施錠位置にある場合、レンズ６０に対向する位置に、回転盤３６の表示部３６３がある。よって、貫通孔２５は、開錠可能な現在の鍵の種類がキーコードをリセット不可能な個別鍵５０ａであり、内筒本体３２が外筒２０に対して施錠位置にある場合に、切り欠き部３６２以外の回転盤３６の他の一部として表示部３６３を露出する。表示部３６３は、個別鍵５０ａの個別鍵把手部５２ａに対応する色で塗装されてもよい。これにより、ユーザは、レンズ６０を介して表示部３６３の色を視認することで、開錠可能なキーコードを有する現在の鍵の種類が表示部３６３の色に対応する個別鍵５０ａであることを確認できる。
【００４０】
図９Ａは、貫通孔２５にレンズ６０が取り付けられた状態で、可動ピン４２が貫通孔２５の直下にある場合のシリンダ錠１０の正面図（ａ）および断面図（ｂ）の一例を示す図である。可動ピン４２は、例えば、内筒３０が外筒２０に対して施錠位置にある場合に、貫通孔２５の直下にある。
【００４１】
図９Ｂは、図９Ａ中の囲み線２０６内の部分拡大図を示す図である。内筒本体３２は、内筒本体３２の正面から背面に向かって軸線に沿って形成された案内部３２１を有する。案内部３２１は、内筒本体３２の側面上に、内筒本体３２の正面から背面に向かって軸線に沿って溝を形成することで構成してもよい。案内部３２１は、内筒本体３２の正面から背面に向かって軸線に沿って穴を形成することで構成してもよい。
【００４２】
貫通孔２５は、内壁面に貫通孔段差２５１を有する。レンズ６０は、裏面に、貫通孔２５の内壁面の貫通孔段差２５１に対応したレンズ段差６２を有する。貫通孔２５が貫通孔段差２５１を有することで、貫通孔２５に取り付けられたレンズ６０が押し込まれても陥没することを防止できる。
【００４３】
可動ピン４２の一部は、案内部３２１内に可動ピン４２が軸線に沿って移動可能に、ばね４４を介して支持されている。可動ピン４２は、可動ピン先端部４２１、可動ピン本体部４２２、可動ピン凸部４２３、および可動ピン支持部４２４を有する。可動ピン先端部４２１は、テーパー状に形成されている。開錠可能な鍵が共通鍵５０ｂで、内筒３０が外筒２０に対して施錠位置にある場合、可動ピン先端部４２１は、仕切り板３８の仕切り板貫通孔３８２および回転盤３６の切り欠き部３６２を介して、レンズ６０の底面に接触している。可動ピン先端部４２１が、テーパー状に形成されていることで、図９Ｂに示す状態から内筒本体３２が軸線を中心に回転すると、仕切り板３８の仕切り板貫通孔３８２の内壁によって、可動ピン先端部４２１が、軸線に沿って内筒本体３２の背面側方向に押され、可動ピン４２は、軸線に沿って内筒本体３２の背面方向に移動する。
【００４４】
図１０Ａは、可動ピン４２が貫通孔２５の直下以外の位置にある場合のシリンダ錠１０の正面図（ａ）および断面図（ｂ）の一例を示す図である。図１０Ｂは、図１０Ａ中の囲み線２０８内の部分拡大図を示す図である。
【００４５】
上記の通り、内筒本体３２が軸線を中心に回転することにより、仕切り板３８の仕切り板貫通孔３８２の内壁によって、可動ピン先端部４２１が、軸線に沿って内筒本体３２の背面側方向に押され、可動ピン４２は、軸線に沿って内筒本体３２の背面方向に移動する。よって、可動ピン４２が貫通孔２５の直下以外の位置にある場合、可動ピン先端部４２１は、仕切り板３８の背面に接触している。
【００４６】
図１１Ａは、貫通孔２５からレンズ６０が取り外され、可動ピン４２が貫通孔２５内に侵入している場合のシリンダ錠１０の正面図（ａ）および断面図（ｂ）の一例を示す図である。図１１Ｂは、図１１Ａ中の囲み線２１０内の部分拡大図を示す図である。
【００４７】
レンズ６０が貫通孔２５から取り外された場合、可動ピン４２は、貫通孔２５への侵入の抑制が解除され、貫通孔２５内まで侵入する。レンズ６０が貫通孔２５から取り外された状態で、開錠可能な鍵が共通鍵５０ｂで内筒３０が外筒２０に対して施錠位置にある場合、可動ピン４２は、ばね４４の弾性力により、仕切り板３８の仕切り板貫通孔３８２および回転盤３６の切り欠き部３６２を介して、可動ピン凸部４２３が仕切り板３８の裏面に達するまで、貫通孔２５内に侵入する。可動ピン本体部４２２は、仕切り板貫通孔３８２内に嵌った状態となってもよい。
【００４８】
可動ピン４２は、貫通孔２５内への侵入の抑制が解除されることで、内筒３０が外筒２０に対して軸線を中心に回転することを抑制する。よって、開錠可能なキーコードを有する鍵、例えば共通鍵５０ｂを用いても、シリンダ錠１０の開錠を行うことができない。
【００４９】
よって、レンズ６０が貫通孔２５から取り外され、貫通孔２５を介して露出している回転盤３６の表面が不正に書き換えられたとしても、シリンダ錠１０の開錠を行うことができない。開錠可能なキーコードを有する現在の鍵の種類が不正に書き換えられたとしても、不正にシリンダ錠１０の開錠ができない。したがって、シリンダ錠１０のセキュリティ性を向上させることができる。
【００５０】
続いて、レンズ６０を外筒２０の正面２１に形成された貫通孔２５に取り付ける方法について説明する。
【００５１】
図１２は、レンズ６０とゲート部７０とが一体的に形成された取付部品８０の斜視図の一例を示す。レンズ６０は、例えば、射出成形により製造される。レンズ６０が射出成形により製造される場合、レンズ６０にゲート部７０が一体的に形成された取付部品８０が得られる。本実施形態では、レンズ６０にゲート部７０が接続されている状態の取付部品８０を用いて、レンズ６０を貫通孔２５に取り付ける。
【００５２】
図１３は、取付部品８０の平面図を示す。取付部品８０は、レンズ６０とゲート部７０とを有する。ゲート部７０は、ゲート７２、ランナー７４、およびスプルー７６を有する。スプルー７６は、射出成形機のノズルに接する部分からランナー７４に至る樹脂の流入通路の部分である。ランナー７４は、樹脂がスプルー７６からゲート７２に至る中間の通路の部分である。ゲート７２は、樹脂がランナー７４から、レンズ６０の形状を象ったキャビティに流入する入口の部分である。
【００５３】
このように構成された取付部品８０を、図１４に示すように、外筒本体２２の正面２１の上方から、貫通孔２５上に配置する。つまり、レンズ６０にゲート部７０が接続されている状態で、貫通孔２５上にレンズ６０を配置する。そして、図１５に示すように、取付部品８０を正面２１上に配置した状態で、プレス手段９０を用いて、レンズ６０を貫通孔２５内に押し込む。レンズ６０貫通孔２５内に押し込むことにより、レンズ６０からゲート部７０を切り取るとともに、レンズ６０を貫通孔２５内に取り付ける。これにより、図１６に示すように、レンズ６０を貫通孔２５内に正しく取り付けることができる。
【００５４】
図１７に示すように、貫通孔２５に取り付けられたレンズ６０が押し込まれても陥没しないように、貫通孔２５の内壁には、貫通孔段差２５１が形成されている。レンズ６０の裏面には、貫通孔２５の内壁の段差に対応したレンズ段差６２が形成されている。貫通孔２５の内壁の貫通孔段差２５１に、レンズ６０のレンズ段差６２を適合させることで、レンズ６０を貫通孔２５に正しく取り付けることができる。
【００５５】
レンズ６０を貫通孔２５に正しく取り付けるためには、レンズ６０の表裏を正しい位置にして、貫通孔２５内に押し込む必要がある。しかしながら、レンズ６０は、比較的小さいので、レンズ６０の表裏を確認することが容易ではない。
【００５６】
そこで、上記のように、ゲート部７０が一体的に形成された状態のレンズ６０をそのまま用いて、レンズ６０を貫通孔２５に取り付ける。これにより、レンズ６０の表裏を間違うことなく、レンズ６０を貫通孔２５に取り付けることができる。
【００５７】
ここで、レンズ６０のレンズ段差６２の面、ゲート７２の下面、ランナー７４の下面は、面一に形成されていることが好ましい。このように形成されていることで、取付部品８０を外筒本体２２の正面２１上に配置した場合に、取付部品８０を正面２１に安定して配置することができる。
【００５８】
また、ランナー７４の上面は、レンズ６０の表面６３より上方に突出するように形成されていることが好ましい。これにより、レンズ６０の表面６３を誤って下側にして、正面２１に配置した場合、ランナー７４の上面の突出部分が妨げとなり、取付部品８０を正面２１に安定して配置することができない。よって、レンズ６０を誤って表面６３を下側にして、正面２１上に配置することを防止できる。
【００５９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６０】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６１】
１０  シリンダ錠
２０  外筒
２２  外筒本体
２３  外筒開口
２４  取り付けフランジ
２５  貫通孔
２５１  貫通孔段差
２６  背面カバー
３０  内筒
３１  鍵穴
３２  内筒本体
３２１  案内部
３４  出力軸
３６  回転盤
３６１  回転盤開口
３６２  切り欠き部
３６３  表示部
３６４  係合部
３６５ａ，３６５ｂ  弾性アーム
３６６ａ，３６６ｂ  回転盤凸部
３８  仕切り板
３８１  仕切り板開口
３８２  仕切り板貫通孔
３８３  係止部
４０  抑制手段
４２  可動ピン
４２１  可動ピン先端部
４２２  可動ピン本体部
４２３  可動ピン凸部
４２４  可動ピン支持部
４６  リセットボタン
５０  鍵
５２  把手部
５４  挿入部
５０ａ  個別鍵
５２ａ  個別鍵把手部
５４ａ  個別鍵挿入部
５４１ａ  個別鍵凹部
５０ｂ  共通鍵
５２ｂ  共通鍵把手部
５４ｂ  共通鍵挿入部
５４１ｂ  共通鍵凹部
６０  レンズ
６２  レンズ段差
７０  ゲート部
７２  ゲート
７４  ランナー
７６  スプルー
８０  取付部品
９０  プレス手段
【図１】
2014224347.tif 000003
【図２】
2014224347.tif 000004
【図３】
2014224347.tif 000005
【図４】
2014224347.tif 000006
【図５Ａ】
2014224347.tif 000007
【図５Ｂ】
2014224347.tif 000008
【図６Ａ】
2014224347.tif 000009
【図６Ｂ】
2014224347.tif 000010
【図７】
2014224347.tif 000011
【図８】
2014224347.tif 000012
【図９Ａ】
2014224347.tif 000013
【図９Ｂ】
2014224347.tif 000014
【図１０Ａ】
2014224347.tif 000015
【図１０Ｂ】
2014224347.tif 000016
【図１１Ａ】
2014224347.tif 000017
【図１１Ｂ】
2014224347.tif 000018
【図１２】
2014224347.tif 000019
【図１３】
2014224347.tif 000020
【図１４】
2014224347.tif 000021
【図１５】
2014224347.tif 000022
【図１６】
2014224347.tif 000023
【図１７】
2014224347.tif 000024